(57)【要約】      （修正有）【課題】多様な形態の計量対象物を確実に計測可能な計量装置を提供する。【解決手段】円柱状の計量対象物を計量するときは、載置板３の両側に起立可能な起立板５を上方に押し上げるようにして、支軸６を中心に起立板５を回動させ、起立板５の下部５ａを載置台３の側部３ａに係止させる。これにより、起立状態を保持することができ、安定した状態で確実に計測することができる。広い面積の計量対象物を計量するときは、載置台３上部の凸部３ｂに起立板５上部の凹部７が合致するように起立板５を折り畳む。このように、折り畳むことで載置台３が平坦になり、広い面積の計量対象物を計測することができる。【選択図】図２
0003181179.tif 000002
【実用新案登録請求の範囲】
【請求項１】
装置本体上部に計量対象物を載せて計量をするための載置台が設けられ、前記載置台の両側に起立が可能な起立板を備えた計量装置において、
前記起立板の上部に計量対象物を保持する凹部を形成したことを特徴とする計量装置。
【請求項２】
前記起立板を前記載置台に折り畳んだ状態で計量対象物の計測を可能としたことを特徴とする請求項１記載の計量装置。
【請求項３】
前記起立板の下部と前記装置本体あるいは前記載置台の側部を係止させることで起立状態に保持することを特徴とする請求項１または２に記載の計量装置。
【考案の詳細な説明】
【技術分野】
【０００１】  本考案は、計量対象物の重量を測定する計量装置に係り、特に、載置台の上部に計量対象物を載せて計量する計量装置に関するものである。
【背景技術】
【０００２】  従来におけるキッチンスケールなどの計量装置では、重量を量りたい物を載置台に直接載置して重量を測定する。さらに、用途に合わせて用いられる載置台を備えた計量装置も知られている。【０００３】  例えば、特許文献１には、計量時に載置台から上下または両側から起立可能な起立板が備えられ、郵便物等の面積の大きな計量対象物を計量しているとき、その重さが表示されている表示部を上方から視認できるようにした計量装置が記載されている。
【先行技術文献】
【特許文献】
【０００４】
【特許文献１】特開２００６−２９８４３号公報
【考案の概要】
【考案が解決しようとする課題】
【０００５】  特許文献１に記載の計量装置のように起立可能な起立板を備えることは、使用者にとって面積の大きな郵便物等の計量時、表示部の表示を容易に読み取ることができる利点がある。しかし、特許文献１に記載の計量装置では起立可能な起立板の起立上端部が平坦であるため、円柱状の計量対象物を載せると物が転がってしまい、計測することが困難である。【０００６】  そこで、本考案は、多様な形態の計量対象物を確実に計測可能な計量装置を提供することを目的とする。
【課題を解決するための手段】
【０００７】  前記目的を達成するため、本考案に係る計量装置は、装置本体上部に計量対象物を載せて計量をするための載置台が設けられ、前記載置台の両側に起立が可能な起立板を備えた計量装置において、前記起立板の上部に計量対象物を保持する凹部を形成したことを特徴とする。【０００８】  また、本考案に係る計量装置は、前記起立板を前記載置台に折り畳んだ状態で計量対象物の計測を可能としたことを特徴とする。【０００９】  また、本考案に係る計量装置は、前記起立板の下部と前記装置本体あるいは前記載置台の側部を係止させることで起立状態に保持することを特徴とする。
【考案の効果】
【００１０】  本考案に係る計量装置によれば、円柱状の計量対象物を測定するときは、起立板を起立させた状態で上部に載置された計量対象物が凹部で保持されることになるため、載置台から落ちることなく確実に計測ができる。さらに、起立板を折り畳んだ状態でも計測することができるため、広い面積の計量対象物を計測することができる。【００１１】  また、起立板の下部と装置本体あるいは載置台の側部を係止させることで起立状態を保持することができ、安定した状態で円柱状の計量対象物を確実に計測することができる。【００１２】  また、起立板を備えたことにより、計量対象物が表示部より離れた位置にあるため、重さが表示されている表示部を上方から視認することができる。【００１３】  このように本考案によれば、多様な形態の計量対象物を確実に計測可能な計量装置を提供することができる。
【図面の簡単な説明】
【００１４】
【図１】本実施形態に係る計量装置の実施形態における装置全体を示す斜視図である。
【図２】本実施形態における計量装置の一部を断面して示す正面図である。
【図３】本実施形態における起立板の折り畳み状態を示す側面図である。
【図４】本実施形態における起立板の起立状態を示す側面図である。
【図５】本実施形態における計量装置の平面図である。
【考案を実施するための形態】
【００１５】  以下、本考案に係る計量装置の好適な実施形態を図面に基づいて説明する。
【００１６】  図１は本実施形態に係る計量装置の実施形態における装置全体を示す斜視図であり、１は計量装置、２は装置本体、３は、装置本体２内部に設けられた重量検出器と連結し、載置された計量対象物を計量するために装置本体２上部に設けられた載置台、４は計量結果を表示する表示部、４ａは計量開始スイッチボタン、４ｂは載置台３に載置した計量対象物の重量を０ｇに設定する風袋引きスイッチボタン、５は載置台３に支軸６を中心にして回動可能に設けられた起立板である。
【００１７】  図２は本実施形態における計量装置の一部を断面して示す正面図であり、７は、起立板５上部に形成され、計量対象物を保持する凹部である。このため、起立板５上部の凹部７に円柱状の計量対象物Ｗａを載せ、凹部７により保持することで、落下を防止させた状態で計量対象物Ｗａの重量を計測することができる。
【００１８】  図２に示すように、起立板５を上方に押し上げるようにして、支軸６を中心に起立板５を回動させ、起立板５の下部５ａを載置台３の側部３ａに係止させることにより、起立状態を保持することができ、安定した状態で確実に計測することができる。
【００１９】  図３は本実施形態における起立板の折り畳み状態を示す側面図、図４は本実施形態における起立板の起立状態を示す側面図である。同図において、起立板５を起立状態に保持することで、大きい計量測定物Ｗｂの重量を計測することができ、計量測定物Ｗｂに邪魔されることなく計量結果を表示する表示部４を視認することができる。
【００２０】  図５は本実施形態における計量装置の平面図を示しており、図３に示すように、載置台３上部の凸部３ｂに起立板５上部の凹部７が合致するように起立板５を折り畳むことができる形態にしてあるため、折り畳むことで載置台３が平坦になり、広い面積の計量対象物を計測することができる。
【産業上の利用可能性】
【００２１】  本考案は、多様な形態の計量対象物を計測することができるため、形状、大きさの用途に合わせて用いることができることから家庭用の計量装置として有効である。
【符号の説明】
【００２２】  １  計量装置
２  装置本体
３  載置台
３ａ  側部
３ｂ  凸部
４  表示部
４ａ  計量開始スイッチボタン
４ｂ  風袋引きスイッチ
５  起立板
５ａ  下部
６  支軸
７  凹部
【図１】
0003181179.tif 000003
【図２】
0003181179.tif 000004
【図３】
0003181179.tif 000005
【図４】
0003181179.tif 000006
【図５】
0003181179.tif 000007